(57)【特許請求の範囲】
【請求項１】
カラオケ楽曲データをダウンロードしてユーザが繰返し利用可能なファイルとして記憶するダウンロード再生、又は、カラオケ楽曲データをストリーム再生するストリーム再生の何れか一方を定めた第１の配信モードと、規定のダウンロードの許容範囲内でカラオケ楽曲データをダウンロードし、前記許容範囲を超えた分のカラオケ楽曲データについてはストリーム再生する第２の配信モードとの何れかの配信モードを設定するモード設定手段と、
再生指定されたカラオケ楽曲データを、通信ネットワークを通じて所定の取得先から取得する楽曲取得手段と、
前記楽曲取得手段により取得されたカラオケ楽曲データに基づいてカラオケ再生を行う再生手段と、
前記再生手段によるカラオケの再生音と共に、情報端末装置により入力された歌唱音声を録音データとして録音する録音手段と、
前記モード設定により現在設定されている配信モードを示すモード情報を取得するモード取得手段と、
前記モード取得手段により取得されたモード情報に基づいて、前記配信モードが、前記第１の配信モードに設定されているか、または、前記第２の配信モードに設定されているかを判定する第１判定手段と、
前記第１判定手段により、前記第２の配信モードに設定されていると判定された場合、現在の前記許容範囲に基づいて、カラオケ楽曲データのダウンロードが可能か否かを判定する第２判定手段と、
前記第２判定手段により、ダウンロードが可能であると判定された場合、前記楽曲取得手段により取得されたカラオケ楽曲データと、前記録音手段により録音された録音データとを、繰返し利用可能なファイルとして記憶手段に記憶し、前記第２判定手段により、ダウンロードが可能であると判定されなかった場合、前記カラオケ楽曲データと前記録音データとの記憶を制限する記憶制御手段とを備えること
を特徴とする情報端末装置。
【請求項２】
前記記憶制御手段は、前記第２判定手段により、ダウンロードが可能であると判定されなかった場合、前記カラオケ楽曲データと、前記録音データを削除することを特徴とする請求項１に記載の情報端末装置。
【請求項３】
請求項１又は請求項２に記載の情報端末装置において、
入力された歌唱音声に基づいて歌唱の採点処理を実行する採点手段と、
前記採点手段による歌唱の採点結果を提示する提示手段と、
前記提示手段により採点結果提示されたことに基づいて採点された歌唱音声の録音データを記憶するか否かの指示を受付ける受付手段と、を更に備え、
前記第１判定手段により前記第２の配信モードに設定されていると判定され、かつ、前記受付手段により前記録音データの記憶の指示を受付けた場合に、さらに、前記第２判定手段により、ダウンロードが可能であると判定された場合、前記記憶制御手段は、前記楽曲取得手段により取得されたカラオケ楽曲データと、前記録音手段により録音された録音データとを、繰返し利用可能なファイルとして前記記憶手段に記憶し、一方、前記受付手段により前記録音データの記憶の指示を受付けなかった場合、前記カラオケ楽曲データと前記録音データとの記憶を制限すること
を特徴とする情報端末装置。
【請求項４】
請求項３に記載の情報端末装置において、
前記記憶制御手段は、前記録音データを前記記憶手段に記憶するときに、記憶される録音データに対応する歌唱の前記採点結果を、記憶される録音データに対応付けて前記記憶手段に記憶すること
を特徴とする情報端末装置。
【請求項５】
請求項４に記載の情報端末装置において、
前記再生手段は、前記記憶手段に記憶されている前記録音データの中から、前記録音データの再生を行い、
前記再生手段により前記録音データが再生されたときに、前記提示手段は、再生された録音データに対応する前記採点結果をユーザに対して提示すること
を特徴とする情報端末装置。
【請求項６】
請求項１ないし請求項５の何れか１項に記載の情報端末装置において、
業務用カラオケ装置で過去に行われたカラオケの歌唱に対する採点結果であって、前記業務用カラオケ装置が、カラオケ楽曲の歌唱区間を複数の区間に分割したそれぞれの区間ごとに歌唱の採点結果を算出した分析採点結果を、通信ネットワークを介して所定の取得先から取得する採点結果取得手段と、
前記採点結果取得手段により取得された分析採点結果を、カラオケ楽曲の歌唱区間の推移と対応付けてユーザに対して提示する分析採点提示手段とを更に備え、
前記第２判定手段により、ダウンロードが可能であると判定された場合、前記記憶制御手段は、前記楽曲取得手段により取得されたカラオケ楽曲データと、前記録音手段により録音された録音データと、前記採点結果取得手段により取得された前記分析採点結果とを、繰返し利用可能なファイルとして前記記憶手段に記憶すること
を特徴とする情報端末装置。
【請求項７】
情報端末装置において実行されるプログラムであって、
カラオケ楽曲データをダウンロードしてユーザが繰返し利用可能なファイルとして記憶するダウンロード再生、又は、カラオケ楽曲データをストリーム再生するストリーム再生の何れか一方を定めた第１の配信モードと、規定のダウンロードの許容範囲内でカラオケ楽曲データをダウンロードし、前記許容範囲を超えた分のカラオケ楽曲データについてはストリーム配信する第２の配信モードとの何れかの配信モードを設定するモード設定ステップと、
再生指定されたカラオケ楽曲データを、通信ネットワークを通じて所定の取得先から取得する楽曲取得ステップと、
前記楽曲取得ステップにおいて取得されたカラオケ楽曲データに基づいてカラオケ再生を行う再生ステップと、
前記再生ステップおけるカラオケの再生音と共に、情報端末装置により入力された歌唱音声を録音データとして録音する録音ステップと、
前記モード設定ステップおいて現在設定されている配信モードを示すモード情報を取得するモード取得ステップと、
前記モード取得ステップおいて取得されたモード情報に基づいて、前記配信モードが、前記第１の配信モードに設定されているか、または、前記第２の配信モードに設定されているかを判定する第１判定ステップと、
前記第１判定ステップにおいて、前記第２の配信モードに設定されていると判定された場合、現在の前記許容範囲に基づいて、カラオケ楽曲データのダウンロードが可能か否かを判定する第２判定ステップと、
前記第２判定ステップにおいて、ダウンロードが可能であると判定された場合、前記楽曲取得ステップにおいて取得されたカラオケ楽曲データと、前記録音ステップにおいて録音された録音データとを、繰返し利用可能なファイルとして記憶手段に記憶し、前記第２判定ステップにおいて、ダウンロードが可能であると判定されなかった場合、前記カラオケ楽曲データと前記録音データとの記憶を制限する記憶制御ステップとを有すること
を特徴とするプログラム。
【発明の詳細な説明】
【技術分野】
【０００１】
本発明は、スマートフォン等の情報端末装置において、ネットワークを介して送信されたカラオケ楽曲を再生してユーザの歌唱音声を録音する技術に関する。
【背景技術】
【０００２】
従来、カラオケサービスを利用可能な携帯電話が知られている（例えば、特許文献１参照）。さらに、スマートフォンと呼ばれる多機能携帯電話等の情報端末装置において、カラオケ楽曲を演奏し、ユーザが演奏に合わせて歌唱した歌唱結果を採点する機能を有するものがある。
【０００３】
このような採点アプリケーションにおいて、ユーザが自身の歌唱音声を繰返し聴いてみたくなったり、自身の歌唱音声を聴き返して練習したいといったニーズがある。そのため、ユーザがカラオケを歌唱した歌唱音声をカラオケの伴奏音と共に録音し、その録音データをユーザの端末に保存しておくことで、ユーザが自分の歌唱音声を繰返し聴けるようにすることが考えられる。
【先行技術文献】
【特許文献】
【０００４】
【特許文献１】特開２００４−３０１８８４号公報
【発明の概要】
【発明が解決しようとする課題】
【０００５】
ところで、スマートフォン等の情報端末装置でカラオケサービスを利用する場合、インターネット上のＷｅｂサイト等を通じて購入したカラオケ楽曲データが配信元から送信されて再生することが行われる。そして、カラオケ楽曲データの再生方法として、ストリーム再生と、ダウンロード再生とがある。ストリーム再生は、カラオケ楽曲データを受信しながら同時に再生するストリーミング型の再生方法である。ダウンロード再生は、ダウンロードした楽曲データをファイルとして情報端末装置に保存したものを再生するダウンロード型の再生方法である。
【０００６】
一方、カラオケに使用される楽曲の課金として、ストリーム再生のための配信とダウンロード再生のための配信とで課金料金を差別化する場合がある。一般的に、ストリーム再生に比べ、ダウンロード再生の方が高い課金料金である。また、このような課金体系では、カラオケを歌唱したときの録音データを繰返し利用できる形態で保存する場合も、カラオケ楽曲をダウンロード再生したときと同様に課金される場合がある。
【０００７】
そのため、サービスによっては、所定量又は所定回数のダウンロードが発生した場合、ダウンロード再生からストリーム再生に切替えることも考えられる、つまり、カラオケを歌唱したときの録音データを保存する場合も、ユーザに対する課金が過大とならないように、予め設定されたダウンロードの制限枠の範囲内で、ユーザの意図に応じて録音データの保存を適切に行えるようにする技術が必要となる。しかしながら、従来技術では、カラオケの録音データの保存に関して、課金設定に基づくダウンロードの制限枠を考慮する技術については何ら考慮されていない。
【０００８】
本発明は、上述のような事情を鑑みなされたものである。本発明は、カラオケサービスを利用可能な情報端末装置において、楽曲のダウンロードの課金設定を考慮して、カラオケの歌唱音声を録音したデータを適切に保存できる技術を実現することを目的とする。
【課題を解決するための手段】
【０００９】
上記目的を達成するためになされた情報端末装置は、モード設定手段と、楽曲取得手段と、再生手段と、録音手段と、モード取得手段と、第１判定手段と、第２判定手段と、記憶制御手段とを備えることを特徴とする。
【００１０】
モード設定手段は、第１の配信モード又は第２の配信モードの何れかの配信モードを設定する。第１の配信モードは、カラオケ楽曲データをダウンロードしてユーザが繰返し利用可能なファイルとして記憶するダウンロード再生、又は、カラオケ楽曲データをストリーム再生するストリーム再生の何れか一方を定めたものである。第２の配信モードは、規定のダウンロードの許容範囲内でカラオケ楽曲データをダウンロードし、許容範囲を超えた分のカラオケ楽曲データについてはストリーム再生することを定めたものである。
【００１１】
楽曲取得手段は、再生指定されたカラオケ楽曲データを、通信ネットワークを通じて所定の取得先から取得する。再生手段は、楽曲取得手段により取得されたカラオケ楽曲データに基づいてカラオケ再生を行う。なお、楽曲取得手段による楽曲データの取得、及び、再生手段による楽曲データの再生は、例えば、データを受信しながらリアルタイムで再生するストリーミングで行うことが考えられる。その場合、楽曲データのファイルをダウンロードしてから再生を開始するよりも迅速に再生を開始できる。
【００１２】
録音手段は、再生手段によるカラオケの再生音と共に、情報端末装置により入力された歌唱音声を録音データとして録音する。モード取得手段は、モード設定手段により現在設定されている配信モードを示すモード情報を取得する。第１判定手段は、モード取得手段により取得されたモード情報に基づいて、配信モードが、第１の配信モードに設定されているか、または、第２の配信モードに設定されているかを判定する。第２判定手段は、第１判定手段により、第２の配信モードに設定されていると判定された場合、現在の許容範囲に基づいて、カラオケ楽曲データのダウンロードが可能か否かを判定する。
【００１３】
第２判定手段により、ダウンロードが可能であると判定された場合、記憶制御手段は、楽曲取得手段により取得されたカラオケ楽曲データと、録音手段により録音された録音データとを、繰返し利用可能なファイルとして記憶手段に記憶する。一方、第２判定手段により、ダウンロードが可能であると判定されなかった場合、記憶制御手段は、カラオケ楽曲データと録音データとの記憶を制限する。
【００１４】
本発明において、第１の配信モードや第２の配信モードは、ユーザがカラオケ楽曲を利用する際の課金設定に応じて指定されることを想定している。例えば、カラオケ楽曲をダウンロードするための料金に上限を設けない課金設定の場合、第１の配信モードの前者を適用して、カラオケ楽曲を制限なくダウンロード可能とする。また、カラオケ楽曲をダウンロードした料金が過大とならないように上限を設ける課金設定の場合、第２の配信モードを適用して、ダウンロードの許容範囲を規定する。この許容範囲は、例えば一定期間内にダウンロードできる楽曲数とすることが考えられる。また、最も廉価な課金設定の場合、第１の配信モードの後者を適用して、カラオケ楽曲の利用を専らストリーミングに限定する。
【００１５】
このように構成された本発明によれば、指定された配信モードに応じて歌唱音声の録音データの保存の可否を適切に制御できる。特に、第２の配信モードのときには、録音データを保存する行為がダウンロードと同様に課金されることを想定して、許容範囲の枠内で録音データの保存を可能としている。これにより、カラオケ楽曲のダウンロードに係る課金設定を考慮して歌唱音声の録音データを適切に保存できる。
【００１６】
なお、第２の配信モードのときに、許容範囲を超えたことによりダウンロードが可能であると判定されなかった場合、取得したカラオケ楽曲データと録音データとを削除することが考えられる（請求項２）。
【００１７】
つぎに、請求項３に記載の情報端末装置は、以下の特徴を有する。すなわち、入力された歌唱音声に基づいて歌唱の採点処理を実行する採点手段と、採点手段による歌唱の採点結果を提示する提示手段と、提示手段により採点結果提示されたことに基づいて採点された歌唱音声の録音データを記憶するか否かの指示を受付ける受付手段とを更に備える。そして、第１判定手段により第２の配信モードに設定されていると判定され、かつ、受付手段により録音データの記憶の指示を受付けた場合に、さらに、第２判定手段により、ダウンロードが可能であると判定された場合、記憶制御手段は、楽曲取得手段により取得されたカラオケ楽曲データと、録音手段により録音された録音データとを、繰返し利用可能なファイルとして記憶手段に記憶する。一方、受付手段により録音データの記憶の指示を受付けなかった場合、記憶制御手段は、カラオケ楽曲データと録音データとの記憶を制限する。
【００１８】
このような構成によれば、提示された自身の歌唱の採点結果を確認したユーザが、採点結果の良し悪しを判断材料にして、ユーザにとってより必要性の高い録音データを選んで保存することができる。よって、ダウンロードできる楽曲数に制限がある場合において、必要のない録音データが無暗に保存されることがなく、ユーザにとって有利である。
【００１９】
また、請求項４に記載のように、録音データを記憶手段に記憶するときに、記憶される録音データに対応する歌唱の採点結果を、記憶される録音データに対応付けて記憶手段に記憶するように構成するとよい。このようにすると、録音データとその当時の採点結果とを対応付けて利用することが可能になる。
【００２０】
例えば、請求項５に記載のように、記憶手段に記憶されている録音データの中から、録音データの再生を行い、再生手段により録音データが再生されたときに、再生された録音データに対応する採点結果をユーザに対して提示するように構成することが考えられる。このようのすることで、ユーザが録音データの再生を聴きくときに、採点結果を参考にして自身の歌唱音声を分析できる。
【００２１】
ところで、カラオケ店舗や酒場等で利用される業務用カラオケ装置において、ユーザの歌唱音声を通常の採点機能よりも更に詳細に分析して採点を行う分析採点機能がある。この分析採点機能では、カラオケ楽曲の歌唱区間を複数の区間に分割したそれぞれの区間ごとに歌唱の採点結果が算出され、それをユーザに提示可能なものがある。このような分析採点の結果をユーザが確認することで、歌唱の得意不得意を歌唱位置と対応付けて詳細に把握できるといった利点がある。そこで、業務用カラオケ装置で行われた分析採点結果を、ユーザ個人が所有する情報端末装置で有効利用できるようになれば、ユーザにとって利便性が更に向上する。
【００２２】
具体的には、請求項６に記載のように構成することが考えられる。すなわち、業務用カラオケ装置で過去に行われたカラオケの歌唱に対する採点結果であって、業務用カラオケ装置が、カラオケ楽曲の歌唱区間を複数の区間に分割したそれぞれの区間ごとに歌唱の採点結果を算出した分析採点結果を、通信ネットワークを介して所定の取得先から取得する採点結果取得手段と、採点結果取得手段により取得された分析採点結果を、カラオケ楽曲の歌唱区間の推移と対応付けてユーザに対して提示する分析採点提示手段とを更に備える。そして、第２判定手段により、ダウンロードが可能であると判定された場合、記憶制御手段は、楽曲取得手段により取得されたカラオケ楽曲データと、録音手段により録音された録音データと、採点結果取得手段により取得された分析採点結果とを、繰返し利用可能なファイルとして記憶手段に記憶する。
【００２３】
このようにすることで、業務用カラオケ装置から取得した分析採点結果と録音データとを対応付けて利用することが可能になる。例えば、カラオケ店舗で行われた分析採点結果からユーザが自身の苦手な歌唱部分を把握し、ユーザの好きな時間に好きな場所で、情報端末装置を使って苦手な歌唱部分を繰返し練習するといった利用方法が想定できる。
【００２４】
なお、本発明は、請求項７に記載のように、ユーザが使用する情報端末装置において実行されるプログラム、あるいは当該プログラムを記憶する記憶媒体の態様で実現することもできる。
【図面の簡単な説明】
【００２５】
【図１】カラオケネットワークのシステム構成図。
【図２】カラオケアプリケーションの概要を模式的に示す説明図。
【図３】カラオケアプリケーションの処理手順を示すフローチャート（１）。
【図４】カラオケアプリケーションの処理手順を示すフローチャート（２）。
【図５】カラオケアプリケーションの処理手順を示すフローチャート（３）。
【図６】分析採点結果の表示例を模式的に示す説明図。
【発明を実施するための形態】
【００２６】
図１に示すカラオケネットワークシステムを例に挙げて本発明の実施形態を説明する。なお、本発明は下記の実施形態に何ら限定されるものではなく様々な態様にて実施することが可能である。
【００２７】
［システム構成の説明］
実施形態のカラオケネットワークシステムは、図１に示すように、ユーザ個人が所有する携帯電話端末１（例えばスマートフォン）と、インターネットに接続されたカラオケ楽曲配信用のカラオケサーバ２と、カラオケ店舗のカラオケルーム内に配置されたカラオケ装置３と、カラオケ装置３を操作するためのリモコン端末４とが、ネットワークを通じて互いに通信可能に構成されたものである。
【００２８】
このうち、携帯電話端末１は、無線通信により公衆無線通信網の無線基地局ＢＳを中継してインターネットに接続する。また、カラオケ装置３は、カラオケ店舗内のＬＡＮに設けられたルータＢＲを中継してインターネットに接続する。また、リモコン端末４は、無線ＬＡＮのインフラストラクチャモードにより無線ＬＡＮアクセスポイントＡＰを中継して、カラオケ店舗内のＬＡＮにネットワーク接続し、更にルータＢＲを中継してインターネットに接続する。
【００２９】
携帯電話端末１は、ハードウェア構成として制御部１０、無線通信部１１、メモリ１２、音声処理部１３、マイク１３１、スピーカ１３２、ビデオＲＡＭ１４、映像制御部１５、表示部１６、操作処理部１７、及び、操作部１８等を備える。携帯電話端末１は、装置全体の制御を司る制御部１０を中心に構成されている。制御部１０は、ＣＰＵ、ＲＯＭ、ＲＡＭ、Ｉ／Ｏ等を中心に構成された情報処理デバイスであり、ＲＯＭやメモリ１２から読込んだプログラムやデータに基づいて種々の処理を実行する。
【００３０】
無線通信部１１は、無線基地局ＢＳを中継してインターネットに通信接続するための通信インタフェースである。メモリ１２は、不揮発性の半導体メモリ（例えばフラッシュメモリ）等で構成された記憶装置であり、その一部としてプログラム記憶領域、録音データ記憶領域、楽曲データ記憶領域が設けられている。音声処理部１３は、音声の入出力を制御するデバイスである。この音声処理部１３には、ユーザの音声を入力するためのマイク１３１と、音声を出力するためのスピーカ１３２とが接続されている。
【００３１】
ビデオＲＡＭ１４は、映像情報を一時的に保存するメモリである。このビデオＲＡＭ１４は、映像制御部１５に接続されている。映像制御部１５は、ビデオＲＡＭ１４の映像情報や制御部１０から送信されてくる映像データに基づいて映像の再生を行う。映像制御部１５には、表示部１６が接続されている。表示部１６は、例えば液晶パネルディスプレイ（ＬＣＤ）として具現化される。映像制御部１５によって再生された映像は表示部１６に表示される。
【００３２】
操作処理部１７は、操作部１８からの信号を処理する。操作部１８は、表示部１６の表示面上に形成されたタッチパネル式の入力デバイスとして具現化される。操作部１８のタッチパネルは、表示部１６の表示領域の形状に合わせて薄板状に形成された透過性を有する樹脂材料により構成されており、操作者の指先やペン先等によるタッチ操作が行われることで、タッチされた画面位置の情報を感知して操作処理部１７に入力する。操作処理部１７は、操作部１８から入力された位置情報が表示部１６に表示されているアイコンの画像位置に該当する場合、そのアイコンの情報を制御部１０に通知する。
【００３３】
上記構成を有する携帯電話端末１は、メモリ１２のプログラム記憶領域にインストールされたカラオケアプリケーションのプログラムによって、カラオケ店舗内だけでなく他の場所でもカラオケサービスを、インターネットを介して利用できる情報端末装置として構成されている。本実施形態では、カラオケアプリケーションの主な機能として、カラオケサーバ２から転送されてくるカラオケ楽曲データの再生や、カラオケ楽曲の再生と併せて行われるユーザの歌唱音声の録音、ユーザの歌唱の採点及び採点結果の表示等の機能を想定している。
【００３４】
カラオケサーバ２は、カラオケ店舗内のカラオケ装置３やユーザが所有する携帯電話端末１へカラオケ楽曲データを配信するサービスを含む各種カラオケサービスを提供するサーバ装置である。このカラオケサーバ２は、適宜な処理能力を有する情報処理装置等で構成されており、記憶部２２にカラオケサービスとして提供可能なコンテンツを保有している。また、カラオケサーバ２は、インターネットを介して、カラオケ店舗側のカラオケ装置３やユーザが所有する携帯電話端末１との間でデータ通信可能に構成されている。また、カラオケサーバ２は、カラオケ楽曲等のコンテンツデータを格納するデータベースの他に、本システムのアカウントを有する個々のユーザごとに、そのユーザによる過去のカラオケ歌唱の採点結果といったカラオケの利用履歴等をデータベースに保存している。このような利用履歴は、ユーザによるカラオケ装置３の利用実績に基づいてカラオケ装置３からアップロードされ保存される。
【００３５】
カラオケサーバ２は、ハードウェア構成として制御部２０、通信部２１、及び、記憶部２２等を備える。制御部１０は、ＣＰＵ、ＲＯＭ、ＲＡＭ、Ｉ／Ｏ等を中心に構成された情報処理装置であり、ＲＯＭや記憶部２２から読込んだプログラムに基づいて種々の処理を実行する。通信部は、カラオケサーバ２をインターネットに接続して各カラオケ店舗のカラオケ装置３やユーザの携帯電話端末１との間で通信を行うための通信インタフェースである。記憶部２２は、例えばハードディスクドライブ等で構成された記憶装置であり、プログラム記憶領域、楽曲データ記憶領域等が設けられている。
【００３６】
カラオケ装置３は、ネットワークを通じて配信されたカラオケ楽曲に基づくカラオケ演奏を行い、ユーザにカラオケサービスを提供する業務用の装置である。本実施形態では、ユーザの歌唱音声を通常の採点機能よりも更に詳細に分析して採点を行う分析採点機能を備えたものを想定している。この分析採点機能では、カラオケ楽曲の歌唱区間を複数の区間に分割したそれぞれの区間ごとに歌唱の採点結果を算出し、それをユーザに提示する。また、カラオケ装置３において算出された分析採点の結果を、当該ユーザの利用履歴としてカラオケサーバ２にアップロードすることが考えられる。また、分析採点機能は、ユーザの歌唱音声に基づいて、歌唱音声のビブラートやしゃくり等の技巧を評価することができる。
【００３７】
リモコン端末４は、カラオケルーム内でカラオケ装置３を遠隔操作するための通信端末装置である。リモコン端末４は、ユーザが再生を希望するカラオケ楽曲のリクエストを行うための操作等をユーザから受付け、その操作信号を無線ＬＡＮ通信や赤外線通信によって操作対象のカラオケ装置３に送信する。
【００３８】
［カラオケアプリケーションの概要の説明］
つぎに、携帯電話端末１に実装されるカラオケアプリケーションの概要について、図２を参照しながら説明する。
【００３９】
携帯電話端末１で再生されるカラオケ楽曲は、カラオケサービス用のＷｅｂサイト等を通じて行われる所定の購入手続きを経て、カラオケサーバ２からインターネット経由で配信される。カラオケサーバ２から配信されるカラオケ楽曲データは、ステレオ出力に対応した左右２チャンネルの伴奏メロディデータや、ユーザの歌唱音声を採点する基準となるガイドメロディデータやボーカルデータ等で構成されている。
【００４０】
カラオケサーバ２から配信されてくるカラオケ楽曲データは、データ転送と同時進行でストリーム再生されると共に、所定のキャッシュ領域に一時的に保管（キャッシュ）される。再生されたカラオケ楽曲の音声信号は、マイク１３１を通じて入力されたユーザの歌唱音声の音声信号とミキシングされる。
【００４１】
ミキシングされた音声信号（伴奏音＋歌唱音声）は、スピーカ１３２から出力される。また、ミキシングされた音声信号から伴奏音と歌唱音声が録音された録音データが作成される。また、ミキシングされた音声信号は、採点用音声としてキャッシュされる。キャッシュされた採点用音声は、採点処理によってカラオケ楽曲データのガイドメロディとの間で音程やリズムが比較され、その一致度合に応じて歌唱の巧拙度合が採点される。
【００４２】
ストリーム再生と共にキャッシュされたカラオケ楽曲データは、ユーザがカラオケ楽曲を利用する際の課金条件に応じて設定された課金モードで示される規定に従ってファイルに保存又は破棄される。設定された課金モードに基づき、ファイルとして保存が可能であると判断された場合に、キャッシュされたカラオケ楽曲データがメモリ１２の楽曲データ記憶領域に繰返し利用可能なファイルとして保存される。メモリ１２の楽曲データ記憶領域に保存されたカラオケ楽曲データは、カラオケサーバ２からダウンロードせずに繰返し再生可能になる。以降、ストリーム再生に対して、メモリ１２の楽曲データ記憶領域に保存されたカラオケ楽曲データに基づいて再生を行う再生方法をローカル再生とも称する。一方、メモリ１２に保存されなかったカラオケ楽曲のキャッシュデータは削除される。
【００４３】
本実施形態では、ストリーム再生時にキャッシュされたカラオケ楽曲データをファイルとして保存するか否かを判断するための課金モードの具体例として、第１モード、第２モード、第３モードの３つを想定している。これらの課金モードは、カラオケサービス用のＷｅｂサイト等を通じて行われる所定の課金契約手続きを経て、制御部１０によって携帯電話端末１に登録されるといった設定方法が例示される。設定された課金モードの情報は、例えばメモリ１２等に記憶される。
【００４４】
第１モードは、最も廉価な課金設定として、カラオケ楽曲の利用をストリーミングに限定したモードである。この第１モードでは、ストリーム再生時にキャッシュされたカラオケ楽曲データはメモリ１２に保存されない。第２モードは、カラオケ楽曲をダウンロードした料金が過大とならないように上限を設ける課金設定である。この第２モードでは、一定期間内にダウンロードできる楽曲数を規定した許容範囲が設定される。そして、この許容範囲内でカラオケ楽曲データをメモリ１２に保存することを許可し、許容範囲を超えた分のカラオケ楽曲データについてはストリーミングに限定され、メモリ１２に保存されない。
【００４５】
第３モードは、カラオケ楽曲をダウンロードするための料金に上限を設けない課金設定である。この第３モードでは、ストリーム再生時にキャッシュされたカラオケ楽曲データを無制限にメモリ１２に保存可能である。なお、実施形態の第１モード及び第３モードが、特許請求の範囲における第１の配信モードに相当する。また、実施形態の第２モードが、特許請求の範囲における第２の配信モードに相当する。
【００４６】
一方、歌唱音声と伴奏音とを録音した録音データは、カラオケ楽曲データと同様に、課金モードで示される規定に従ってファイルに保存又は破棄される。設定された課金モードに基づき、ファイルとして保存が可能であると判断された場合に、メモリ１２の録音データ記憶領域にユーザが繰返し利用可能なファイルとして保存される。メモリ１２の楽曲データ記憶領域に保存された録音データは、繰返し再生可能になる。一方、メモリ１２に保存されなかった録音データは削除される。また、採点処理による採点結果を示す採点データは、対応する録音データがファイルとして保存されるときに、その録音データに対応付けられてメモリ１２に保存される。
【００４７】
［カラオケアプリケーションの処理手順］
つぎに、携帯電話端末１の制御部１０がカラオケアプリケーションのプログラムに従って実行する処理の手順について、図３〜５のフローチャートを参照しながら説明する。この処理は、ユーザによってカラオケアプリケーションの実行が指示されることで開始される。
【００４８】
図３のフローチャートの説明から始める。制御部１０は、処理を開始すると、現在設定されている課金モードの情報をメモリ１２から取得する（Ｓ１００）。ここで取得する課金モードの情報は、第1モード、第２モード、第３モードの何れかに関する情報である。つぎに、ユーザからの指示に基づいて再生するカラオケ楽曲を選択する（Ｓ１０２）。そして、選択されたカラオケ楽曲に対応するカラオケ楽曲データを取得する（Ｓ１０４）。ここでは、選択されたカラオケ楽曲が、メモリ１２の楽曲データ記憶領域に再生可能なファイルとして保存されている場合、そこからカラオケ楽曲データを読出す。一方、選択されたカラオケ楽曲が、メモリ１２の楽曲データ記憶領域にファイルとして保存されていない場合、インターネット経由でカラオケサーバ２に対してカラオケ楽曲データの配信を要求する。
【００４９】
つぎに、取得したカラオケ楽曲データに基づいてカラオケ演奏を開始すると共に、マイク１３１を通じて入力された歌唱音声の録音、及び、歌唱の採点処理を開始する（Ｓ１０６）。ここでは、インターネット経由でカラオケサーバ２からカラオケ楽曲データを取得する場合、データ転送しながら再生を行うストリーム再生を行う。ストリーミングにより取得されたデータは、所定のキャッシュ領域にキャッシュされる。一方、再生するカラオケ楽曲データがメモリ１２の楽曲データ記憶領域に保存されている場合、ローカル再生を行う。
【００５０】
カラオケ楽曲データの再生が終了すると（Ｓ１０８）、採点処理による今回の採点結果を表示部１６に表示する（Ｓ１１０）。ここで、今回演奏したカラオケ楽曲と同曲の過去の採点結果がメモリ１２に記憶されているか否か判定する（Ｓ１１２）。ここでいう採点結果とは、携帯電話端末１で行われた同曲の歌唱における採点処理の結果や、カラオケ店舗のカラオケ装置３で行われた同曲の歌唱における採点処理の結果をインターネット経由でカラオケサーバ２から取得したものも含む。
【００５１】
過去の採点結果がメモリ１２に記憶されている場合（ＳＳ１１２：ＹＥＳ）、Ｓ１１４に進む。一方、過去の採点結果がメモリ１２に記憶されていない場合（Ｓ１１２：ＮＯ）、Ｓ２００（図４）に進む。Ｓ１１４では、今回の採点結果と、同曲の過去の採点結果とを比較可能な態様で表示部１６に表示する。
【００５２】
つづいて、図４のフローチャートについて説明する。次のＳ２００では、今回の演奏がストリーム再生であるか、ローカル再生であるかによって処理が分岐する。ストリーム再生の場合（Ｓ２００：ストリーム）、Ｓ２０２に進み、Ｓ１００で取得した課金モードの情報が第１モード以外のものであったか否かを判定する。課金モードが第２モード又は第３モードの何れかに設定されている場合（Ｓ２０２：ＹＥＳ）、Ｓ２０４に進む。一方、課金モードが第１モードに設定されている場合（Ｓ２０２：ＮＯ）、Ｓ２２０に進む。
【００５３】
課金モードが第２モード又は第３モードに設定されている場合に進むＳ２０４では、今回演奏されたカラオケ楽曲と、その歌唱音声の録音データの保存の可否をユーザに対して問合せる。ここでは、保存の可否を問合せるメッセージを表示部１６に表示し、操作部１８を介して問合せに対するユーザの回答を受付ける。ユーザからカラオケ楽曲データ及び録音データを保存する旨の回答を受付けた場合（Ｓ２０４：保存する）、Ｓ２０６に進む。一方、ユーザからカラオケ楽曲データ及び録音データを保存しない旨の回答を受付けた場合（Ｓ２０４：保存しない）、Ｓ２２０に進む。
【００５４】
ユーザからカラオケ楽曲データ及び録音データを保存する旨の回答を受付けた場合に進むＳ２０６では、Ｓ１００で取得した課金モードの情報が第２モードの情報であったか否かを判定する。課金モードが第２モードに設定されている場合（Ｓ２０６：ＹＥＳ）、Ｓ２０８に進む。一方、課金モードが第３モードに設定されている場合（Ｓ２０６：ＮＯ）、Ｓ２１２に進む。
【００５５】
課金モードが第２モードに設定されている場合に進むＳ２０８では、第２モードの情報で示されるダウンロードの許容範囲に、今回のカラオケ楽曲データ及び録音データを保存する分の保存可能数が残っているか否かを判定する。保存可能数が残っていない場合（Ｓ２０８：ＮＯ）、すなわち、既にダウンロードの許容範囲を超えている場合、Ｓ２２０に進む。一方、保存可能数が残っている場合（Ｓ２０８：ＹＥＳ）、Ｓ２１０に進み、現在の保存可能数から１を減らして第２モードにおけるダウンロードの許容範囲の設定情報を更新する。
【００５６】
次のＳ２１２では、ストリーミングにおいてキャッシュしたカラオケ楽曲データと、歌唱音声の録音データと、採点処理による歌唱の採点データとをメモリ１２に保存する。カラオケ楽曲データは、メモリ１２の楽曲データ記憶領域に繰返し利用可能なファイルとして保存される。また、録音データは、メモリ１２の録音データ記憶領域に繰返し利用可能なファイルとして保存される。また、採点データは、メモリ１２の録音データ記憶領域に録音データと対応付けて保存される。
【００５７】
一方、Ｓ２００においてローカル再生に分岐した場合に進むＳ２１４では、今回演奏されたカラオケ楽曲と、その歌唱音声の録音データの保存の可否をユーザに対して問合せる。カラオケ楽曲データ及び録音データを保存する旨の回答を受付けた場合（Ｓ２１４：保存する）、Ｓ２１６に進む。一方、カラオケ楽曲データ及び録音データを保存しない旨の回答を受付けた場合（Ｓ２１４：保存しない）、Ｓ２２０に進む。
【００５８】
ユーザからカラオケ楽曲データ及び録音データを保存する旨の回答を受付けた場合に進むＳ２１６では、ストリーミングにおいてキャッシュしたカラオケ楽曲データと、歌唱音声の録音データと、採点処理による歌唱の採点データとをメモリ１２に保存する。
【００５９】
Ｓ２１２又はＳ２１６で各データをメモリ１２に保存した次のＳ２１８では、メモリ１２に保存されている録音データを再生するか否かをユーザに対して問合せる。ここでは、録音データの再生を行うか否かを問合せるメッセージを表示部１６に表示し、操作部１８を介して問合せに対するユーザの回答を受付ける。録音データを再生する旨の回答を受付けた場合（Ｓ２１８：ＹＥＳ）、Ｓ３００（図５）に進む。一方、録音データを再生する旨の回答を受けなかった場合（Ｓ２１８：ＮＯ）、Ｓ２２０に進む。
【００６０】
Ｓ２２０では、カラオケアプリケーションを終了するか否かを判断する。ユーザからカラオケアプリケーションを終了する旨の指示が入力された場合（Ｓ２２０：ＹＥＳ）、本処理を終了する。一方、カラオケアプリケーションを終了する旨の指示が入力されなかった場合（Ｓ２２０：ＮＯ）、Ｓ１０２（図３）に戻る。
【００６１】
つづいて、図５のフローチャートについて説明する。録音データを再生する旨の回答を受付けた場合に進むＳ３００では、メモリ１２の録音データ記憶領域に再生可能な録音データのファイルがあるか否かを判断する。再生可能な録音データのファイルがある場合（Ｓ３００：ＹＥＳ）、Ｓ３０２に進む。一方、再生可能な録音データのファイルがない場合（Ｓ３００：ＮＯ）、Ｓ３１０に進む。
【００６２】
再生可能な録音データのファイルがある場合に進むＳ３０２では、ユーザからの指示に基づいて再生する録音データを選択する。次のＳ３０４では、選択された録音データを再生する。また、Ｓ３０６では、選択された録音データに対応付けてメモリ１２に保存されている採点データに基づき、採点結果を表示部１６に表示する。
【００６３】
つぎに、Ｓ３０８では、録音データの再生を終了するか否かを判断する。ユーザから録音データの再生を終了する旨の指示が入力された場合（Ｓ３０８：ＹＥＳ）、Ｓ３１０に進む。一方、録音データの再生を終了する旨の指示が入力されなかった場合（Ｓ３０８：ＮＯ）、Ｓ３０２に戻る。Ｓ３１０では、録音データの再生プレーヤを終了して、Ｓ１０２（図３）に戻る。
【００６４】
［カラオケアプリケーション適用可能なその他の工夫］
携帯電話端末１で実行されるカラオケアプリケーションに適用可能な工夫の一例として、業務用のカラオケ装置３の分析採点機能を利用して行われた歌唱の採点結果を携帯電話端末１で利用する事例について説明する。
【００６５】
業務用のカラオケ装置３で行われる分析採点処理は、１曲の採点結果を一括して算出する通常の採点機能よりも更に詳細に分析して採点を行うものである。この分析採点機能では、カラオケ楽曲の歌唱区間を複数の区間に分割したそれぞれの区間ごとに歌唱の採点結果が算出される。また、分析採点の結果は、インターネット経由でカラオケサーバ２にアップロードされ、カラオケサーバ２の記憶部２２に当該ユーザのカラオケ利用履歴として保存される。したがって、携帯電話端末１が楽曲データをダウンロード可能な第２モード又は第３モードの場合には、ステップＳ２１２において、携帯電話端末１よりも精度の良い分析採点の結果と録音データとを合わせて、携帯電話端末１にダウンロードすることができる。このため、携帯電話端末１のユーザは、携帯電話端末１で可能な採点結果としての点数に加え、業務用カラオケ装置３により詳細に採点された分析採点の結果もダウンロードして利用することで、ネットワークを介する必要なく、繰返し歌唱練習することができる。
【００６６】
カラオケ装置３による分析採点の結果を携帯電話端末１で利用する場合、携帯電話端末１が、その所有者のアカウントに対応するカラオケ利用履歴として保存されている分析採点の結果を、インターネット経由でカラオケサーバ２から取得する。例えば、図３〜５に示すカラオケアプリケーション処理において、カラオケサーバ２に対してカラオケ楽曲データの配信要求をしたとき（Ｓ１０４）に、同ユーザの同曲の歌唱の分析採点結果をカラオケサーバ２から取得することが考えられる。そして、ストリーミングによりキャッシュされたカラオケ楽曲データをメモリ１２に保存するとき（Ｓ２１２）に、同曲の分析採点結果を繰返し利用可能なファイルとしてメモリ１２に保存する。メモリ１２に保存された分析採点結果は、適宜読出して内容を表示部１６に表示することが可能である。
【００６７】
分析採点結果を携帯電話端末１で表示する場合の表示例を図６に示す。分析採点の結果は、横軸にカラオケ楽曲の演奏時間、縦軸に一定時間ごとの歌唱の採点点数をとった得点推移を示すグラフで表示される。このとき、表示部１６兼操作部１８のタッチパネルを使って、得点推移のグラフ表示と連動して、カラオケ楽曲の再生開始位置を指定する指示を受付け可能にされる。
【００６８】
具体的には、得点推移のグラフと演奏時間を示す横軸で囲まれた領域をタッチすることで、そのタッチされた画面位置に対応する演奏時間が、その分析採点結果に対応するカラオケ楽曲データの再生を開始する位置として指定される。そして、その指定された再生開始位置から、カラオケ楽曲データの再生が開始される。このようにすることで、カラオケ店舗で行われた分析採点結果からユーザが自身の苦手な歌唱部分を把握し、ユーザの好きな時間に好きな場所で、情報端末装置を使って苦手な歌唱部分を繰返し練習するといった利用方法が想定できる。
【００６９】
［効果］
上記実施形態の携帯電話端末１によれば、以下の効果を奏する。
設定された課金モードに応じて歌唱音声の録音データの保存の可否を適切に制御できる。特に、第２モードのときには、録音データを保存する行為がダウンロードと同様に課金されることを想定して、許容範囲の枠内で録音データの保存を可能としている。これにより、カラオケ楽曲のダウンロードに係る課金設定を考慮して歌唱音声の録音データを適切に保存できる。
【００７０】
携帯電話端末１によるカラオケ楽曲の演奏後に採点処理の結果を表示した上で録音データの保存の可否を受付けることができる。これにより、表示された自身の歌唱の採点結果を確認したユーザが、採点結果の良し悪しを判断材料にして、ユーザにとってより必要性の高い録音データを選んで保存することができる。よって、ダウンロードできる楽曲数に制限がある場合において、必要のない録音データが無暗に保存されることがない。
【００７１】
歌唱の採点結果を録音データと対応付けて保存することで、録音データとその当時の採点結果とを対応付けて利用することが可能である。すなわち、ユーザによって選択された録音データが再生されたときに、その再生された録音データに対応する採点結果をユーザに対して提示することができる。これにより、ユーザが録音データの再生を聴きくときに、採点結果を参考にして自身の歌唱音声を分析できる。
【００７２】
［特許請求の範囲に記載の構成との対応］
実施形態の携帯電話端末１の構成と、特許請求の範囲に記載の構成との対応は次のとおりである。制御部１０が、モード設定手段、再生手段、録音手段、モード取得手段、第１判定手段、第２判定手段、記憶制御手段、及び、採点手段に相当する。また、制御部１０及び無線通信部１１が、楽曲取得手段及び採点結果取得手段に相当する。また、制御部１０、映像制御部１５及び表示部１６が、提示手段及び分析採点提示手段に相当する。また、制御部１０、操作処理部１７及び操作部１８が、受付手段に相当する。また、メモリ１２が記憶手段に相当する。
【符号の説明】
【００７３】
１…携帯電話端末（スマートフォン）、１０…制御部、１１…無線通信部、１２…メモリ、１３…音声処理部、１３１…マイク、１３２…スピーカ、１４…ビデオＲＡＭ、１５…映像処理部、１６…表示部、１７…操作処理部、１８…操作部、２…カラオケサーバ、２０…制御部、２１…通信部、２２…記憶部、３…カラオケ装置、４…リモコン端末。
【図１】
0005699929.tif 000002
【図２】
0005699929.tif 000003
【図３】
0005699929.tif 000004
【図４】
0005699929.tif 000005
【図５】
0005699929.tif 000006
【図６】
0005699929.tif 000007